(57)【要約】【課題】掃除機本体を着脱可能に構成すると共に、掃除機本体を取り外して使用する際に電源コードがスティック部の前を横切らないようにして使用性の向上した縦型掃除機を提供する。【解決手段】電動送風機１１や集塵部１２やコードリール１３を有する掃除機本体１と前記集塵部１２に連通するホース２とが床用吸込具３１や操作用ハンドル３２を有するスティック部３に着脱可能に取り付けられると共に、掃除機本体１の上部側に当該掃除機本体１の手持ち用ハンドル１４を備え、掃除機本体１がスティック部３に取り付けられた状態で、掃除機本体１側の電源コード引出口１３３とスティック部３側のホース取付口３５が同じ側に位置するように構成した。【選択図】        図１
2005040242.tif 000002
【特許請求の範囲】
【請求項１】
電動送風機や集塵部やコードリールを有する掃除機本体と前記集塵部に連通するホースとが床用吸込具や操作用ハンドルを有するスティック部に着脱可能に取り付けられると共に、掃除機本体の上部側に当該掃除機本体の手持ち用ハンドルを備え、掃除機本体がスティック部に取り付けられた状態で、掃除機本体側の電源コード引出口とスティック部側のホース取付部が同じ側に位置するように構成したことを特徴とする縦型掃除機。
【請求項２】
前記掃除機本体がスティック部に取り付けられた状態で、前記スティック部側のホース取付部とは反対側に掃除機本体側のホース取付部が位置するように構成したことを特徴とする請求項１記載の縦型掃除機。
【請求項３】
前記電源コード引出口は掃除機本体の上部側に形成されて成ることを特徴とする請求項１又は請求項２記載の縦型掃除機。
【発明の詳細な説明】
【０００１】
【発明の属する技術分野】
本願発明は、縦型（アップライト型）掃除機に係わり、特に掃除機本体が比較的小型軽量のスティック型と呼ばれる縦型掃除機に関するものである。
【０００２】
【従来の技術】
従来、この種の縦型掃除機は、一般的に、床用吸込具や操作用ハンドルを有するスティック部が電動送風機や集塵部やコードリールを有する掃除機本体に一体に構成されており、掃除機本体を着脱することはできなかった。
【０００３】
なお、床移動型（キャニスタータイプ）としての使用と縦型（アップライトタイプ）としての使用を可能とする電気掃除機は知られている（例えば、特許文献１参照）。
【０００４】
【特許文献１】
特開平８−３３５９１号公報（図１〜図７）
【０００５】
【発明が解決しようとする課題】
ところが、掃除機本体を着脱できない一般的な縦型掃除機では、ベットの下や家具の上などの部屋の上方や階段等を容易に掃除できないという課題があった。
【０００６】
また、上記特許文献１に記載されたような床移動型としての使用と縦型としての使用を可能とする電気掃除機においては、掃除機本体を取り外すことができるが、これはあくまで床移動型としての使用を目的としたものであって、掃除機本体の手持ち用ハンドルの記載が無いことからも明らかなように、手持ち使用については全く考慮されていない。
【０００７】
ところで、手持ち使用を行おうとすれば、縦型としての使用時の掃除機本体上部に手持ち用ハンドルを形成する方が縦型の状態からそのまま手持ち用ハンドルを持って手持ち使用に移行することができるので便利であるが、掃除機本体をスティック部に取り付けた状態で、掃除機本体側の電源コード引出口とスティック部側のホース取付部が反対側に位置する構成の場合、手持ち用ハンドルを持って掃除機本体をスティック部から取り外して使用する際に、電源コードがスティック部の前を横切る形となってしまうため、使用性が低下する。
【０００８】
そこで、本願発明はこのような課題を解決するためになされたものであり、掃除機本体を着脱可能に構成すると共に、掃除機本体を取り外して使用する際に電源コードがスティック部の前を横切らないようにして使用性の向上した縦型掃除機を提供することを目的とするものである。
【０００９】
【課題を解決するための手段】
上記のような目的を達成するために、本願発明は、電動送風機や集塵部やコードリールを有する掃除機本体と前記集塵部に連通するホースとが床用吸込具や操作用ハンドルを有するスティック部に着脱可能に取り付けられると共に、掃除機本体の上部側に当該掃除機本体の手持ち用ハンドルを備え、掃除機本体がスティック部に取り付けられた状態で、掃除機本体側の電源コード引出口とスティック部側のホース取付部が同じ側に位置するように構成したことを特徴とするものである。
【００１０】
さらに、前記掃除機本体がスティック部に取り付けられた状態で、前記スティック部側のホース取付部とは反対側に掃除機本体側のホース取付部が位置するように構成したことを特徴とするものである。
【００１１】
また、前記電源コード引出口は掃除機本体の上部側に形成されて成ることを特徴とするものである。
【００１２】
【発明の実施の形態】
以下、本願発明の実施形態を図面を参照して詳細に説明する。
【００１３】
図１〜図５は本願発明による縦型掃除機の一実施形態の構成及び作用を示す図であり、このスティック型と呼ばれる縦型掃除機の基本的構成は、電動送風機１１や集塵部１２やコードリール１３を有する掃除機本体１と前記集塵部１２に連通するホース２とが床用吸込具３１や操作用ハンドル３２を有するスティック部３に着脱可能に取り付けられると共に、掃除機本体１の上部側に当該掃除機本体１の手持ち用ハンドル１４を備え、掃除機本体１がスティック部３に取り付けられた状態で、掃除機本体１側の電源コード引出口１３３とスティック部３側のホース取付口３５が同じ側に位置するように構成したものである。
【００１４】
具体的に説明すると、比較的小型軽量（ここでは約３Ｋｇ）の掃除機本体１には図１に示すように、下部側から、サイクロン方式等の着脱可能な集塵部１２、モータ１１１と送風機１１２が一体化されてモータ１１１を上側にして配置された電動送風機１１、そのすぐ上に配置されて電動送風機１１の電源コード１３１を巻き取るコードリール１３、このコードリール１３の上部側に前後方向に形成された手持ち用ハンドル１４が配置されている。すなわち、手持ち用ハンドル１４が最上部に配置されると共に、着脱可能な集塵部１２が最下部に配置され、一番重量のある電動送風機１１は中央部に配置されている。また、掃除機本体１の下部には上記集塵部１２に連通するホース２が取り付けられている。
【００１５】
一方、スティック部３は高さ方向中程に設けられた回動部３３から上方の操作用ハンドル３２が後側に折り畳み可能に構成され、上端部にグリップ部３２１が形成された操作用ハンドル３２を後側に折り畳むことによりコンパクトに収納できるようになっている。また、スティック部３の下端には、底面側に吸込口３１１を有して回転ブラシ（図示せず）や前輪３１２及び後輪３１３等を備えた床用吸込具３１が回動可能に取り付けられており、掃除の際には床用吸込具３１の底面側が被掃除面に接触した状態でスティック部３が後方に傾倒可能に構成されている。
【００１６】
また、スティック部３の内側には、床用吸込具３１からの塵埃を含んだ空気の吸気管（図示せず）が形成され、この吸気管に連通してスティック部３の側面にホース２先端の吸込筒２１を着脱可能に取り付けるためのホース取付口３５が形成されている。
【００１７】
また、本実施形態では、掃除機本体１の下部背面側にスティック部３の下部両側を挟むような一対のリブ１７を設け、スティック部３の下部両側には凸部３８を形成して、これらの凸部３８に両側リブ１７の内側に対応して形成した図示しない凹部が載置係合するようにして、スティック部３に掃除機本体１を取り付ける際の位置決め機能と掃除機本体１の支持機能を実現している。
【００１８】
上記掃除機本体１は、その最上部に形成された手持ち用ハンドル１４を持って、掃除機本体１の下部背面側に形成された両側のリブ１７でスティック部３の下部両側を挟むようにしてスティック部３側凸部３８にリブ１７側凹部を載置係合してから、掃除機本体１の上部背面側を対応するスティック部３の前面側に図示しないクランプで係止することにより取り付けられ、このクランプの係止状態をボタン操作等で解除することにより取り外すことができるようにして、容易に着脱できるように構成されている。
【００１９】
また、集塵部１２は、掃除機本体１の底部に形成された集塵部ガイド１９上に集塵部１２底面を挿入載置してから、集塵部１２の前面側上部に取り付けられた図示しないクランプを掃除機本体１側の係止部に係止することにより取り付けられ、このクランプの係止状態をボタン操作等によって解除することにより取り外すことができるように構成されている。ここで、上記集塵部ガイド１９と前記両側リブ１７は底面側が同じ高さの連続した水平になるように形成されている。
【００２０】
また、コードリール１３が配置された掃除機本体１の上部側面には、コードリール１３に巻かれた電源コード１３１を引き出すと共にコードリール１３に巻き取られるときに電源プラグ１３２が本体１内に入り込むのを防ぐストッパーを有する電源コード引出口１３３が形成されている。
【００２１】
そして、図１に示すように、掃除機本体１がスティック部３に取り付けられた状態で、掃除機本体１側の電源コード引出口１３３とスティック部３側のホース取付口３５が同じ側に位置するように構成している。また、上記スティック部３側のホース取付口３５とは反対側に掃除機本体１側のホース取付部２０が位置するように構成している。
【００２２】
以上の構成において、通常の縦型掃除機としての使用時の吸排気の流れは以下のようになる。すなわち、電動送風機１１が駆動することにより、床用吸込具３１の吸込口３１１から塵埃と共に吸い込まれた空気は、スティック部３内の吸気管を通って、ホース取付口３５を介してホース２内を通り、掃除機本体１に装着された集塵部１２内に吸い込まれる。
【００２３】
集塵部１２内で塵埃が除去された空気は、電動送風機１１の送風機１１２に吸い込まれ、さらにモータ１１１を冷却してから排出される。電動送風機１１から排出された排気は、そのすぐ上にあるコードリール１３に吹き付けられ、それに巻かれた電源コード１３１を冷却してから、掃除機本体１の側面等に形成された排気孔（図示せず）から外部に排出される。
【００２４】
また、ベットの下等の掃除を行う場合は、スティック部３に掃除機本体１が取り付けられたままでは掃除機本体１が邪魔になって掃除できないので、手持ち用ハンドル１４を片手で持って掃除機本体１をスティック部３から取り外し、ホース２はスティック部３に取り付けたままとする（図２，図５参照）。そして、掃除機本体１が取り外されたスティック部３の操作用ハンドル３２のグリップ部３２１をもう一方の手で持ってスティック部３を後方に倒しながら床用吸込具３１をベットの下等に挿入することにより、容易に掃除を行うことができる。ここで、本実施形態では、掃除機本体１がスティック部３に取り付けられた状態で、掃除機本体１側の電源コード引出口１３３とスティック部３側のホース取付口３５が同じ側に位置するように構成されているので、掃除機本体１を図４から図５に示す状態に取り外して使用する際に、電源コード１３１がスティック部３の前を横切らないため、電源コード１３１が邪魔にならず、使用性が向上する。また、スティック部３側のホース取付口３５とは反対側に掃除機本体１側のホース取付部２０が位置するように構成されているので、掃除機本体１を図４から図５に示す状態に取り外して使用する際に、ホース２が掃除機本体１の後側を通るようなこともないので、使用性が更に向上する。
【００２５】
また、このような掃除の途中では被掃除面にある物を動かす等のために掃除機本体１を図２に示すように一時的に床面に置くような場合があるが、本実施形態では、掃除機本体１の底面を構成する集塵部ガイド１９の底面と下部両側から後方に延びて本体１着脱機構を構成するリブ１７の底面が同じ高さの連続した水平となるように構成されているので、掃除機本体１単体でのスタンド時における床面との接地面積を広くでき、安定性を大幅に増すことができる。
【００２６】
また、家具の上などの部屋の上方や階段等を掃除する場合は、掃除機本体１と共にホース２もスティック部３から取り外して、片手で手持ち用ハンドル１４を持ち、もう一方の手でホース２先端を持ってホース２先端の吸込筒２１やこれに装着できる隙間用ノズル等を用いて、家具の上などの部屋の上方や階段等も容易に掃除することができる。このような使用形態においても、前記とほぼ同様な作用効果が得られる。
【００２７】
また、本実施形態では、コードリール１３を掃除機本体１の上部側に配置したことで、電源コード１３１の引出口１３３も掃除機本体１の上部側に形成できるので、電源コード１３１が床用吸込具３１や使用者の足等と交錯しにくくなると共に、電源コード１３１の引き出しも容易になる。また、コードリール１３が電動送風機１１のすぐ上に配置されているので、電動送風機１１からの排気による電源コード１３１の冷却が容易となる。
【００２８】
図６〜図１１は、本願発明による縦型掃除機の他の実施形態の構成及び作用を示す図であり、前記実施形態と同一符号は同一又は相当部分を示している。
【００２９】
本実施形態においても、図６に示すように、掃除機本体１がスティック部３に取り付けられた状態で、掃除機本体１側の電源コード引出口１３３とスティック部３側のホース取付口３５が同じ側に位置するように構成されているので、掃除機本体１を取り外して使用する際に、電源コード１３１がスティック部３の前を横切らないため、電源コード１３１が邪魔にならず、使用性が向上する。なお、スティック部３側のホース取付口３５と同じ側に掃除機本体１側のホース取付部２０が位置するように構成されているが、取り外した掃除機本体１の向きを変えれば、ホース２が掃除機本体１の後側を通らなくなるので、問題ない。
【００３０】
ところで、従来は一般的に、電源コード巻き取り時に電源プラグが本体内に入り込んでしまうのを防ぐため、別部品によりストッパーを構成したり、本体ケースの電源コード引出口を電源プラグの大径部よりも小さくして組み立て時に圧入している。従って、部品点数が増えたり、組立性が低下する。
【００３１】
そこで、本実施形態では、本体ケース１ａに、電源コード引出口１３３の内側に位置して、電源プラグ１３２の本体内入り込み防止用の一対のストッパーリブ１３４を構成するようにしている。そして、ストッパーリブ１３４と電源コード引出口１３３は、通常のコードリール１３の巻き取り方向に電源コード１３１を引っ張る場合は、電源プラグ１３２の鍔部１３５が一対のストッパーリブ１３４に当たり、巻き取り方向に対して直交する横方向へ電源プラグ１３２を挿入すると、圧入せずに電源プラグ１３２が電源コード引出口１３３を通過して外側に取り出せるように構成している。
【００３２】
具体的に説明すると、図７に示すように、本体ケース１ａの電源コード引出口１３３の後縁から内側に向けて、所定の間隔をおいて形成された上下一対のストッパーリブ１３４によって電源プラグ１３２の鍔部１３５が止められている。コードリール１３の巻き取り方向は左巻きである。
【００３３】
図８は、掃除機本体１の組み立て途中を上から見た断面図であり、電源コード引出口１３３が形成された本体ケース１ａの側壁１ｂとストッパーリブ１３４との間隔Ａは、電源プラグ１３２の鍔部１３５の幅Ｂ以上の構成としている（Ａ≧Ｂ）。従って、掃除機本体１の組み立て途中に、図８に示すように、電源プラグ１３２を本体ケース１ａの側壁１ｂとストッパーリブ１３４との間に挿入して、図９に示すように電源コード引出口１３３から外側に取り出すことにより、圧入せずに電源プラグ１３２を外側に取り出すことができる。
【００３４】
そして、図７に示したように、ケースカバー１ｃによりコードリール１３を固定することで、電源コード１３１はストッパーリブ１３４に直交する方向に巻き取られるので、上下一対のストッパーリブ１３４間に電源プラグ１３２の鍔部１３５が引っ掛かって、本体１内には入り込まない。
【００３５】
図１０（ａ）は、電源コード引出口１３３近傍を示す要部側面図であり、上下一対のストッパーリブ１３４，１３４間の間隔Ｃは、同図（ｂ）に示す電源プラグ１３２の鍔部１３５の幅Ｂ未満となるように構成する（Ｃ＜Ｂ）。この電源プラグ１３２の鍔部１３５がストッパーリブ１３４，１３４で止められている状態を図１１に示す。
【００３６】
このように構成することで、別部品や圧入作業なしに、電源プラグ１３２の本体１内への入り込みを防止できるので、コスト削減や組立性の向上が図れる。
【００３７】
その他の構成は前記実施形態とほぼ同様であり、これらに関しては、前記実施形態とほぼ同様な作用効果が得られる。
【００３８】
【発明の効果】
以上のように本願発明によれば、電動送風機や集塵部やコードリールを有する掃除機本体と前記集塵部に連通するホースとが床用吸込具や操作用ハンドルを有するスティック部に着脱可能に取り付けられると共に、掃除機本体の上部側に当該掃除機本体の手持ち用ハンドルを備え、掃除機本体がスティック部に取り付けられた状態で、掃除機本体側の電源コード引出口とスティック部側のホース取付部が同じ側に位置するように構成したことにより、掃除機本体を取り外して使用する際に、電源コードがスティック部の前を横切らないため、使用性が向上する。
【００３９】
さらに、前記掃除機本体がスティック部に取り付けられた状態で、前記スティック部側のホース取付部とは反対側に掃除機本体側のホース取付部が位置するように構成することにより、掃除機本体を取り外して使用する際に、ホースが掃除機本体の後側を通るようなこともないので、使用性が更に向上する。
【００４０】
また、前記電源コード引出口は掃除機本体の上部側に形成されて成るものであるから、電源コードが床用吸込具や使用者の足等と交錯しにくくなると共に、電源コードの引き出しも容易になる。
【図面の簡単な説明】
【図１】本願発明による縦型掃除機の一実施形態の側面図で、（ａ）は一部切欠き左側面図、（ｂ）は右側面図。
【図２】同じく、その掃除機本体を取り外した状態を示す側面図。
【図３】同じく、掃除機本体を取り付けた状態を示す概略上面図。
【図４】同じく、掃除機本体を取り付けた状態で電源コードが引き出された状態を示す概略上面図。
【図５】同じく、電源コードが引き出された状態で掃除機本体が取り外された状態を示す概略上面図。
【図６】本願発明による縦型掃除機の他の実施形態の側面図。
【図７】同じく、そのコードリール部分を上面側から見た横断面図。
【図８】同じく、掃除機本体の組み立て途中のコードリール部分を上面側から見た横断面図。
【図９】同じく、掃除機本体の組み立て途中のコードリール部分を上面側から見た横断面図。
【図１０】同じく、その要部を示す図で、（ａ）は電源コード引出口部分の側面図、（ｂ）は電源プラグの正面図。
【図１１】同じく、電源プラグの鍔部がストッパーリブで止められている状態を示す図。
【符号の説明】
１  掃除機本体
１ａ  本体ケース
１１  電動送風機
１２  集塵部
１３  コードリール
１３１  電源コード
１３２  電源プラグ
１３３  電源コード引出口
１３４  ストッパーリブ
１３５  鍔部
１４  手持ち用ハンドル
１７  リブ
１９  集塵部ガイド
２  ホース
２０  ホース取付部
３  スティック部
３１  床用吸込具
３２  操作用ハンドル
３３  回動部
３５  ホース取付口
３８  凸部
【図１】
2005040242.tif 000003
【図２】
2005040242.tif 000004
【図３】
2005040242.tif 000005
【図４】
2005040242.tif 000006
【図５】
2005040242.tif 000007
【図６】
2005040242.tif 000008
【図７】
2005040242.tif 000009
【図８】
2005040242.tif 000010
【図９】
2005040242.tif 000011
【図１０】
2005040242.tif 000012
【図１１】
2005040242.tif 000013